(57)【要約】      （修正有）【課題】首部からつま先側の先端までの長さは通常の毛布と同様でありながら肩部を覆うことができる肩冷え防止毛布を提供する。【解決手段】肩冷え防止毛布Ａは、襟元側Ａ１において、その中央部Ａ２にＵ字状の切り欠き部ａ３を設け、中央部Ａ２を除く両側に肩覆い部ａ１、ａ２を延長形成したことを特徴とする。【選択図】図１
0003125957.tif 000002
【実用新案登録請求の範囲】
【請求項１】
襟元側に肩覆い部を延長形成したことを特徴とする肩冷え防止毛布。
【請求項２】
襟元側中央部を除く両側部に肩覆い部を延長形成したことを特徴とする肩冷え防止毛布。
【請求項３】
幅約１４０ｃｍ、長さ約２３０ｃｍの矩形において、短辺側中央に幅約５０ｃｍ、深さ約３０ｃｍのＵ字状又は半円状の切り欠き部を有することを特徴とする肩冷え防止毛布。
【考案の詳細な説明】
【技術分野】
【０００１】
本考案は、就寝時において、首周りを含む肩部分の保温機能を向上させる肩冷え防止毛布に関する。
【背景技術】
【０００２】
就寝時等に使用する従来の毛布は、身体の首部からつま先までを十分に覆うことができる長さを備えた矩形状に形成されている。しかしながら、矩形状の毛布では、その襟部側を身体の首部まで覆ったときに毛布の襟部側が肩部を覆い隠すまでは至らず、肩先が露出するので、肩部を十分に保温することができない。そこで、肩当て毛布やかいまきを使用する場合があるが、そのようなものを別途用意し、使用することは面倒である。また、毛布の襟部を２重することがあるが、このような方法をもってしても、肩先が露出することには変わりはないので、結局肩部の保温には役立たない。そこで、特許文献１に示すように、襟部側にＵ字状の切欠き部を形成した毛布が発案され、使用時に首部がこの切欠き部に嵌まり込み、切欠き部の幅方向両側部が肩部を覆うように構成されたものがある。
【特許文献１】特開２００２３−２３５７０６号公報
【考案の開示】
【考案が解決しようとする課題】
【０００３】
しかしながらこのような従来の毛布は、通常のサイズ、すなわち幅１４０ｃｍ、長さ２００ｃｍの毛布においてＵ字状の切欠き部、例えば３０ｃｍの深さの切り欠き部を形成しているために、首部からつま先側の先端までの長さが１７０ｃｍとなって短くなるため、種々の不都合が生じていた。
【０００４】
そこで、本考案者は、上記従来の欠点に鑑み、首部からつま先側の先端までの長さは通常の毛布と同様でありながら肩部を覆い隠し、肩先が露出しない肩冷え防止毛布を開発した。
【課題を解決するための手段】
【０００５】
本考案に係る肩冷え防止毛布は、襟元側に肩覆い部を延長形成したことを特徴とするものである。その具体例として、襟元側中央部を除く両側に肩覆い部を延長形成してもよい。さらにその具体例として、幅約１４０ｃｍ、長さ約２３０ｃｍの矩形において、短辺側中央に幅約５０ｃｍ、深さ約３０ｃｍのＵ字状又は半円状の切り欠き部を有する構成としてもよい。
【０００６】
上記のように肩冷え防止毛布を構成したので、首部からつま先側先端までは、従来の毛布と同様の長さを有しており、肩部は襟部の両側に延長形成した肩覆い部により肩先が露出しないように覆うことができる。
【考案の効果】
【０００７】
本考案に係る肩冷え防止毛布は、上記の特徴ある構成により、通常の毛布と同様に使用でき、かつ、就寝時等において肩部が冷えるのを防止することが可能となる。
【考案を実施するための最良の形態】
【０００８】
以下に本考案の肩冷え防止毛布（以下、単に「毛布」という。）について、好適な実施例を添付の図に基いて詳細に説明する。
【実施例１】
【０００９】
図１は実施例１に係る毛布の平面図であり、図２は実施例１に係る毛布の使用状態を示す部分斜視図である。
【００１０】
図１及び図２において、Ａは実施例１に係るシングル用の毛布であって、毛布Ａは、その襟元側Ａ１において、中央部Ａ２を除いてその両側に、左側肩覆い部ａ１と右側肩覆い部ａ２とが延長形成されている。この毛布Ａのサイズは、幅１４０ｃｍ、長さ２３０ｃｍである。したがって、この毛布Ａは、幅１４０ｃｍ、長さ２３０ｃｍの矩形に対して、襟元側Ａ１の中央部Ａ２に幅５０ｃｍ、深さ３０ｃｍのＵ字状の切り欠き部ａ３を形成したものと同様の構成となる。それ故、通常のシングル用毛布のサイズ、すなわち幅１４０ｃｍ、長さ２００ｃｍに比べると、実施例１における毛布Ａは、この通常の毛布の襟元側の両側上縁部が長さ３０ｃｍだけ長くなる。
【００１１】
このように構成すると、図２に示すように、身体の肩部は襟部の両側に延長形成した肩覆い部ａ１、ａ２により覆うことができ、また、該毛布Ａは、首部からつま先側先端までは通常の毛布と同様の長さ、すなわち、２００ｃｍを有するので、足元も充分に覆うことができる。
【００１２】
なお、毛布Ａにおける幅及び長さは１０ｃｍ前後増減したサイズのものを含むものとする。また、Ｕ字状の切り欠き部ａ３は半円状であってもよい。
【００１３】
以上のように、実施例１に係る毛布Ａは、上記の特徴ある構成により、通常の毛布と同様に使用でき、かつ、就寝時等において肩部が冷えるのを防止することが可能となる。
【実施例２】
【００１４】
図３は実施例２に係る毛布の平面図である。
【００１５】
図３において、Ｂは実施例２に係るダブル用の毛布であって、毛布Ｂは、その襟元側Ｂ１において、中央部Ｂ２及び両側に、肩覆い部ｂ１、ｂ２、ｂ３とが延長形成されている。この毛布Ｂのサイズは、幅１８０ｃｍ、長さ２４０ｃｍである。したがって、この毛布Ｂは、幅１８０ｃｍ、長さ２４０ｃｍの矩形に対して、襟元側Ｂ１の両側部に幅５０ｃｍ、深さ３０ｃｍのＵ字状の切り欠き部ｂ４、ｂ５を形成したものと同様の構成となる。それ故、通常のダブル用毛布のサイズ、すなわち幅１８０ｃｍ、長さ２１０ｃｍに比べると、実施例２における毛布Ｂは、この通常の毛布の襟元側の中央部及び両側上縁部が長さ３０ｃｍだけ長くなる。
【００１６】
このように構成すると、身体の肩部は襟部の両側に延長形成した肩覆い部ｂ１、ｂ２、ｂ３により覆うことができ、また、該毛布Ｂは、首部からつま先側先端までは通常の毛布と同様の長さ、すなわち、２１０ｃｍを有するので、足元も充分に覆うことができる。
【００１７】
なお、毛布Ｂにおける幅及び長さは１０ｃｍ前後増減したサイズのものを含むものとする。また、Ｕ字状の切り欠き部ｂ４、ｂ５は半円状であってもよい。
【００１８】
以上のように、実施例２に係る毛布Ｂは、上記の特徴ある構成により、通常の毛布と同様に使用でき、かつ、就寝時等において肩部が冷えるのを防止することが可能となる。
【００１９】
なお、上記の各実施例は、これに限定されるものではなく、実用新案登録請求の範囲に記載した広範囲な実施形態を包含するものである。
【図面の簡単な説明】
【００２０】
【図１】実施例１に係る肩冷え防止毛布の平面図である。
【図２】実施例１に係る肩冷え防止毛布の使用状態を示す部分斜視図である。
【図３】実施例２に係る肩冷え防止毛布の平面図である。
【符号の説明】
【００２１】
Ａ・・・シングル用肩冷え防止毛布
Ａ１・・襟元側
Ａ２・・中央部
ａ１・・左側肩覆い部
ａ２・・右側肩覆い部
ａ３・・Ｕ字状の切り欠き部
Ｂ・・・ダブル用肩冷え防止毛布
Ｂ１・・襟元側
Ｂ２・・中央部
ｂ１・・肩覆い部
ｂ２・・肩覆い部
ｂ３・・肩覆い部
ｂ４・・Ｕ字状の切り欠き部
ｂ５・・Ｕ字状の切り欠き部
【図１】
0003125957.tif 000003
【図２】
0003125957.tif 000004
【図３】
0003125957.tif 000005